(57)【要約】【課題】枕の角度を調整することが可能な浴槽用枕を提供する。【解決手段】浴槽１００で使用される浴槽用枕１Ａであって、板状のボード１０Ａと、枕２０Ａと、取付軸１１Ａを有する取付手段と、を備える。枕２０Ａは、取付手段を介してボード１０Ａに着脱自在に取り付けられ、取付手段の取付軸１１Ａを中心に回動することを特徴とする。【選択図】図１
2019072354.tif 000002
【特許請求の範囲】
【請求項１】
浴槽で使用される浴槽用枕であって、
板状のボードと、
枕と、
取付軸を有する取付手段と、を備え、
前記枕は、前記取付手段を介して前記ボードに着脱自在に取り付けられ、前記取付軸を中心に回動する
ことを特徴とする浴槽用枕。
【請求項２】
前記ボードは、前記浴槽の上縁に配置可能な上面および下面を有し、
前記取付軸の軸心は、前記ボードの上下方向の中心からずれており、
前記ボードの前記下面を前記浴槽の前記上縁に配置した場合と前記ボードの前記上面を前記浴槽の前記上縁に配置した場合とで、前記浴槽の下面から前記枕までの距離が異なる
ことを特徴とする請求項１に記載の浴槽用枕。
【請求項３】
前記取付軸は、前記ボードの前面で前記ボードの上下方向の中心からずれた位置に、前記軸心が前記ボードの前記上面および前記下面と平行になるように設けられており、
前記枕は、後面に前記取付軸が取り付けられる軸受部を有する
ことを特徴とする請求項２に記載の浴槽用枕。
【請求項４】
前記ボードの前記前面は、中央の第１領域と、前記第１領域の両側に位置し、前記第１領域に近づくにつれて前記ボードの後面までの距離が短くなる第２領域と、を有し、
前記第２領域は、凸曲面を有し、
前記取付手段は、前記凸曲面に設けられている
ことを特徴とする請求項３に記載の浴槽用枕。
【請求項５】
前記ボードの前記前面は、前記第１領域および前記第２領域の両側に、前記第２領域に近づくにつれて前記ボードの後面までの距離が短くなる第３領域を有し、
前記第３領域は、凹曲面を有する
ことを特徴とする請求項４に記載の浴槽用枕。
【請求項６】
前記ボードは、周縁領域と、前記周縁領域の内側の内側領域とを有し、
前記ボードの前記上面および前記下面の少なくとも一方の面には、前記周縁領域と前記内側領域との境界に段差が形成されており、
前記周縁領域は、前記内側領域よりも、前記上面から前記下面までの距離が長い
ことを特徴とする請求項３〜５のいずれか一項に記載の浴槽用枕。
【請求項７】
前記枕は、前面の左右方向両端に設けられた凸部と、前記凸部間に設けられた湾曲面と、を有し、
前記湾曲面は、上端部分の幅が中央部分および下端部分の幅よりも大きく、上下方向において凸状に湾曲した断面を有し、かつ左右方向において凹状に湾曲した断面を有する
ことを特徴とする請求項３〜６のいずれか一項に記載の浴槽用枕。
【請求項８】
前記枕の前記後面は、
上端および下端が、前記軸受部よりも後方に位置し、
前記軸受部から前記下端までの距離が、前記軸受部から前記上端までの距離よりも長い
ことを特徴とする請求項７に記載の浴槽用枕。
【請求項９】
前記枕は、前記後面の前記軸受部とは異なる位置に設けられた、前記取付軸が嵌め込まれる第２の軸受部を含む
ことを特徴とする請求項３〜８のいずれか一項に記載の浴槽用枕。
【請求項１０】
前記ボードおよび前記枕は、中空で空気層を有する
ことを特徴とする請求項１〜９のいずれか一項に記載の浴槽用枕。
【請求項１１】
浴槽で使用される浴槽用枕であって、
枕と、
前記浴槽の上縁と平行に延びる取付軸を有し、前記浴槽に取り付けられた取付手段と、
を備え、
前記枕は、前記取付軸に着脱自在に取り付けられ、前記取付軸を中心に回動する
ことを特徴とする浴槽用枕。
【発明の詳細な説明】
【技術分野】
【０００１】
本発明は、浴槽で使用される浴槽用枕に関する。
【背景技術】
【０００２】
浴槽用枕としては、例えば、特許文献１に記載のものが知られている。特許文献１に記載の浴槽用枕は、浴槽の上縁に配置されるボードと、ボードの前面側に取り付けられた枕とを備える。この浴槽用枕は、接着剤で枕をボードに取り付けているため、枕の角度を調整することができないという問題がある。
【先行技術文献】
【特許文献】
【０００３】
【特許文献１】実開平３−１１２０８８号公報
【発明の概要】
【発明が解決しようとする課題】
【０００４】
本発明は上記事情に鑑みてなされたものであって、その課題とするところは、枕の角度を調整することが可能な浴槽用枕を提供することにある。
【課題を解決するための手段】
【０００５】
上記課題を解決するために、本発明の一実施形態に係る浴槽用枕は、
浴槽で使用される浴槽用枕であって、
板状のボードと、
枕と、
取付軸を有する取付手段と、を備え、
前記枕は、前記取付手段を介して前記ボードに着脱自在に取り付けられ、前記取付軸を中心に回動することを特徴とする。
【０００６】
前記ボードは、前記浴槽の上縁に配置可能な上面および下面を有し、
前記取付軸の軸心は、前記ボードの上下方向の中心からずれており、
前記ボードの前記下面を前記浴槽の前記上縁に配置した場合と前記ボードの前記上面を前記浴槽の前記上縁に配置した場合とで、前記浴槽の下面から前記枕までの距離が異なることが好ましい。
【０００７】
前記取付軸は、前記ボードの前面で前記ボードの上下方向の中心からずれた位置に、前記軸心が前記ボードの前記上面および前記下面と平行になるように設けられており、
前記枕は、後面に前記取付軸が取り付けられる軸受部を有するように構成できる。
【０００８】
前記ボードの前記前面は、中央の第１領域と、前記第１領域の両側に位置し、前記第１領域に近づくにつれて前記ボードの後面までの距離が短くなる第２領域と、を有し、
前記第２領域は、凸曲面を有し、
前記取付手段は、前記凸曲面に設けられていることが好ましい。
【０００９】
前記ボードの前記前面は、前記第１領域および前記第２領域の両側に、前記第２領域に近づくにつれて前記ボードの後面までの距離が短くなる第３領域を有し、
前記第３領域は、凹曲面を有することが好ましい。
【００１０】
前記ボードは、周縁領域と、前記周縁領域の内側の内側領域とを有し、
前記ボードの前記上面および前記下面の少なくとも一方の面には、前記周縁領域と前記内側領域との境界に段差が形成されており、
前記周縁領域は、前記内側領域よりも、前記上面から前記下面までの距離が長いことが好ましい。
【００１１】
前記枕は、前面の左右方向両端に設けられた凸部と、前記凸部間に設けられた湾曲面と、を有し、
前記湾曲面は、上端部分の幅が中央部分および下端部分の幅よりも大きく、上下方向において凸状に湾曲した断面を有し、かつ左右方向において凹状に湾曲した断面を有する構成にすることができる。
【００１２】
前記枕の前記後面は、
上端および下端が、前記軸受部よりも後方に位置し、
前記軸受部から前記下端までの距離が、前記軸受部から前記上端までの距離よりも長い構成にすることができる。
【００１３】
前記枕は、前記後面の前記軸受部とは異なる位置に設けられた、前記取付軸が嵌め込まれる第２の軸受部を含んでもよい。
【００１４】
前記ボードおよび前記枕は、中空で空気層を有してもよい。
【００１５】
また、本発明の他の実施形態に係る浴槽用枕は、
浴槽で使用される浴槽用枕であって、
枕と、
前記浴槽の上縁と平行に延びる取付軸を有し、前記浴槽に取り付けられた取付手段と、
を備え、
前記枕は、前記取付軸に着脱自在に取り付けられ、前記取付軸を中心に回動することを特徴とする。
【発明の効果】
【００１６】
本発明によれば、枕の角度を調整することが可能な浴槽用枕を提供することができる。
【図面の簡単な説明】
【００１７】
【図１】（Ａ）本発明の一実施形態に係る浴槽用枕の使用状態を示す図である。（Ｂ）浴槽と枕の角度との関係を説明するための図である。
【図２】本発明の一実施形態に係るボードの正面図である。
【図３】本発明の一実施形態に係る浴槽用枕の平面図である。
【図４】本発明の一実施形態に係る枕であって、（Ａ）は正面図、（Ｂ）は側面図、（Ｃ）は背面図である。
【図５】図３のＡ−Ａ’線における浴槽用枕の断面図である。
【図６】本発明の第１変形例に係る浴槽用枕を示す図である。
【図７】本発明の第２変形例に係る浴槽用枕を示す図である。
【図８】本発明の第３変形例に係る浴槽用枕を示す図である。
【図９】本発明の第４変形例に係る浴槽用枕を示す図である。
【図１０】本発明の第５変形例に係る浴槽用枕を示す図である。
【図１１】本発明の第６変形例に係る浴槽用枕を示す図である。
【図１２】本発明の第７変形例に係る浴槽用枕を示す図である。
【図１３】（Ａ）本発明の第８変形例に係る浴槽用枕を示す図である。（Ｂ）第８変形例の取付手段およびボードの平面図である。
【図１４】本発明の第９変形例に係る浴槽用枕を示す図である。
【発明を実施するための形態】
【００１８】
以下、添付図面を参照して、本発明に係る浴槽用枕の実施形態について説明する。
【００１９】
図１（Ａ）に、本発明の一実施形態に係る浴槽用枕１Ａを示す。浴槽用枕１Ａは、板状のボード１０Ａと、枕２０Ａとを備える。浴槽用枕１Ａは、例えば、浴槽１００の上縁１０１に配置して使用される。
【００２０】
ボード１０Ａは、円柱状の取付軸１１Ａを有する。枕２０Ａは、取付軸１１Ａに回動自在かつ着脱自在に取り付けられている。図１（Ｂ）に示すように、枕２０Ａは、上端２０ａがボード１０Ａの上面１０ａに接するまで、または、下端２０ｂが浴槽１００の内壁面１０２に接するまで、取付軸１１Ａを中心に回動する。すなわち、浴槽用枕１Ａは、枕２０Ａの角度を調整することができる。
【００２１】
図２に、ボード１０Ａの正面図（前面図）を示す。同図に示すように、取付軸１１Ａは、ボード１０Ａの前面１０ｃに設けられている。取付軸１１Ａの軸心は、ボード１０Ａの上下方向の中心から下にずれた位置において、上面１０ａおよび下面１０ｂと平行に延びている。取付軸１１Ａの両端には、ボード１０Ａの上下方向の中心から下側に向かって延びている屈曲部１１ａが設けられている。取付軸１１Ａおよび屈曲部１１ａが、本発明の「取付手段」に相当する。
【００２２】
ボード１０Ａの下面１０ｂを浴槽１００の上縁１０１に配置した場合（図１の場合）と、ボード１０Ａの上面１０ａを浴槽１００の上縁１０１に配置した場合とで、浴槽１００の下面から枕２０Ａまでの距離が異なる。後者の場合は、前者の場合よりも枕２０Ａの高さが高くなる。このように、浴槽用枕１Ａは、枕２０Ａの高さを変えることができる。なお、ボード１０Ａの上面１０ａを浴槽１００の上縁１０１に配置する場合、枕２０Ａの上端２０ａがボード１０Ａの下面１０ｂに接し、枕２０Ａの下端２０ｂが浴槽１００の内壁面１０２に接するように、枕２０Ａを取付軸１１Ａに取り付けることが好ましい。
【００２３】
図３に、浴槽用枕１Ａの平面図（上面図）を示す。同図に示すように、ボード１０Ａは、中央から左右両端側に向かって、第１領域、第２領域、第３領域および第４領域を有する。第１領域から第４領域に向かうにつれて、ボード１０Ａの前面１０ｃから後面１０ｄまでの距離が長くなる。
【００２４】
前面１０ｃの第１領域は、枕２０Ａと対向する領域を含む。
【００２５】
前面１０ｃの第２領域は、第１領域に近づくにつれて後面１０ｄまでの距離が短くなる凸曲面を有する。凸曲面に、屈曲部１１ａを介して取付軸１１Ａが設けられている。前面１０ｃの第２領域を凸曲面にすることで、平面または凹曲面にした場合と比較して、前面１０ｃの左側の第２領域と前面１０ｃの右側の第２領域との距離が短くなり、取付軸１１Ａを短くすることができる。これにより、取付軸１１Ａの上下方向の剛性が高まる。また、取付軸１１Ａと前面１０ｃとの隙間が減少するので、当該隙間に使用者の髪が引っかかるのを抑制することができる。
【００２６】
前面１０ｃの第３領域は、第２領域に近づくにつれて後面１０ｄまでの距離が短くなる凹曲面を有する。前面１０ｃの第３領域を凹曲面にすることで、平面または凸曲面にした場合と比較して、前面１０ｃの左側の第３領域と前面１０ｃの右側の第３領域との距離が長くなる。これにより、使用者が浴槽１００から立ち上がる際に、肩がボード１０Ａに接触するのを抑制することができる。
【００２７】
前面１０ｃの第４領域は、円弧状の曲面を有する。
【００２８】
ボード１０Ａは、周縁領域１２と、周縁領域１２の内側の内側領域１３とを有する。ボード１０Ａの上面１０ａから下面１０ｂまでの距離は、周縁領域１２の方が内側領域１３よりも長い。ボード１０Ａの上面１０ａおよび下面１０ｂには、周縁領域１２と内側領域１３との境界部分に段差１４が形成されており、内側領域１３は周縁領域１２に対して凹んでいる。段差１４が形成されていることにより、ボード１０Ａは、上下方向の剛性が高まり、しなりや変形を抑制することができる。
【００２９】
周縁領域１２は、面取りされており、丸みを帯びた形状になっている。ボード１０Ａには尖った部分が無いので、使用上の安全性が確保される。また、浴槽１００の上縁１０１は滑らかな形状をしていることが多いため、周縁領域１２が丸みを帯びた形状になっていることで、使用者はデザイン上の違和感を覚え難くなる。
【００３０】
ボード１０Ａの上面１０ａおよび下面１０ｂの内側領域１３には、左右一対の円形状の凹部１５が形成されている。凹部１５は、例えばドリンクホルダーとして使用される。凹部１５の底面には、貫通孔（水抜き穴）１６が形成されている。凹部１５の底面は、内側領域１３において最も低い位置になる。上面１０ａの水分は、凹部１５に流れ込み、貫通孔１６を通って浴槽１００内に戻される。上面１０ａを下にした場合、下面１０ｂの水分が凹部１５に流れ込み、貫通孔１６を通って浴槽１００内に戻される。また、凹部１５が形成されていることにより、ボード１０Ａの上下方向の剛性はさらに高まる。
【００３１】
図４（Ａ）に枕２０Ａの正面図（前面図）を示し、図４（Ｂ）に枕２０Ａの側面図を示し、図４（Ｃ）に枕２０Ａの背面図（後面図）を示す。また、図５に図３のＡ−Ａ’線における浴槽用枕１Ａの断面図を示す。
【００３２】
図４（Ａ）に示すように、枕２０Ａは、前面側に、使用者の頭部および頸部を支える凸部２１および湾曲面２２を有する。凸部２１は、左右方向（幅方向）の両端に設けられている。湾曲面２２は、頭部を支える上側部分の幅Ｗ１が頸部を支える下側部分の幅Ｗ２よりも大きくなる。
【００３３】
図４（Ｂ）に示すように、凸部２１は、中央から上端２０ａおよび下端２０ｂに向かうにつれて厚みが小さくなる。湾曲面２２は、上下方向において凸状に湾曲した断面を有し（図５参照）、かつ左右方向において凹状に湾曲した断面を有する。凸部２１および湾曲面２２を上記の形状にすることで、使用者の頭部の位置を安定させることができる。
【００３４】
図４（Ｂ）および図４（Ｃ）に示すように、枕２０Ａは、後面側に、取付軸１１Ａが嵌め込まれる軸受部２３Ａ（本実施形態では、凹部）を有する。軸受部２３Ａの入口の幅は取付軸１１Ａの軸径よりも小さい。取付軸１１Ａを軸受部２３Ａの底面に向かって押し込むことで、軸受部２３Ａの入口が拡開して、取付軸１１Ａが軸受部２３Ａに嵌め込まれる。
【００３５】
軸受部２３Ａは、上下方向の中央部に設けられている。より詳しくは、軸受部２３Ａは、軸受部２３Ａから下端２０ｂまでの距離が軸受部２３Ａから上端２０ａまでの距離よりも長くなる位置に設けられている。図４（Ｂ）に示すように、軸受部２３Ａは、上端２０ａおよび下端２０ｂよりも（上端２０ａと下端２０ｂとを結ぶ仮想線よりも）前方に位置する。
【００３６】
上記の形状により、図１（Ｂ）の配置で枕２０Ａを回動させると、枕２０Ａの上端２０ａがボード１０Ａの上面１０ａに接し、枕２０Ａの下端２０ｂが浴槽１００の内壁面１０２に接する。言い換えれば、枕２０Ａの回動時に、上端２０ａおよび下端２０ｂのそれぞれがストッパーとして機能する。
【００３７】
図５に示すように、ボード１０Ａおよび枕２０Ａは、中空で空気層を有する。ボード１０Ａおよび枕２０Ａは、例えば、ＡＢＳ樹脂からなるブロー成形品である。ボード１０Ａおよび枕２０Ａを中空にすることで、軽量化を図ることができ、空気層によって断熱効果がもたらされる。また、ボード１０Ａおよび枕２０Ａをともにブロー成形することで、金型費のコスト低減を図ることができる。
【００３８】
以上、本発明に係る浴槽用枕の実施形態について説明したが、本発明は上記実施形態に限定されるものではない。例えば、枕が取付手段の取付軸を中心に回動するのであれば、以下の変形例のとおり、適宜構成を変更できる。
【００３９】
（第１変形例）
図６に示すように、第１変形例に係る浴槽用枕１Ｂは、軸受部２３Ｂを有する枕２０Ｂと、取付軸１１Ｂを有するボード１０Ｂとを備える。枕２０Ｂは、枕２０Ａと同様の構成である。ボード１０Ｂは、ボード１０Ａの第１領域および第２領域の一部（取付手段が設けられている部分）に相当する。ボード１０Ｂの左右方向の長さは、適宜変更できる。
【００４０】
（第２変形例）
図７に示すように、第２変形例に係る浴槽用枕１Ｃは、軸受部２３Ｃ（例えば、孔）を有する枕２０Ｃと、左右一対の板状のボード１０Ｃとを備える。ボード１０Ｃは、略Ｌ字形状に形成され、内側に円柱状の取付軸１１Ｃを有する。取付軸１１Ｃは、上下方向の中心から上側にずれた位置に設けられている。枕２０Ｃは、軸受部２３Ｃの形状を除いて枕２０Ａと同様の構成である。左右一対のボード１０Ｃで枕２０Ｃを挟むようにして取付軸１１Ｃを軸受部２３Ｃに嵌め込むことで、枕２０Ｃがボード１０Ｃに回動自在に取り付けられる。ボード１０Ｃは、ブロー成形品である。また、ボード１０Ｃは、左右方向の中央において分割されているが、この分割位置は適宜変更できる。
【００４１】
（第３変形例）
図８に示すように、第３変形例に係る浴槽用枕１Ｄは、取付軸２４Ｄを有する枕２０Ｄと、軸受部１７Ｄ（例えば、凹部）を有する板状のボード１０Ｄとを備える。枕２０Ｄは、軸受部２３Ｃの代わりに取付軸２４Ｄを有すること以外、枕２０Ｃと同様の構成である。ボード１０Ｄは、取付軸１１Ｃの代わりに軸受部１７Ｄを有すること、および分割されていないこと以外、ボード１０Ｃと同様の構成である。取付軸２４Ｄは、枕２０Ｄの左右両側面から突出するように設けられている。軸受部１７Ｄは、ボード１０Ｄの上面側に設けられている。
【００４２】
枕２０Ｄをボード１０Ｄに取り付けた状態で、別部品によって、枕２０Ｄをボード１０Ｄから取り外せないように固定してもよい。別部品としては、例えば、着脱自在にボード１０Ｄに取り付けられる左右一対のコ字状の部品を用いることができる。上記左右一対のコ字状の部品は、ボード１０Ｄの上面（軸受部１７Ｄの上方）、前面、下面を覆うようにボード１０Ｄに取り付けられる。
【００４３】
さらに、取付軸２４Ｄを歯車形状にするとともに、軸受部１７Ｄの底面に取付軸２４Ｄの歯車の歯と噛み合う位置決め用の溝を１つ設けることで、枕２０Ｄの角度を固定することができる。取付軸２４Ｄの角度を変えて（取付軸２４Ｄの歯と位置決め用の溝との組み合わせを変えて）軸受部１７Ｄに嵌め込むことで、枕２０Ｄの角度を変更できる。
【００４４】
（第４変形例）
図９に示すように、第４変形例に係る浴槽用枕１Ｅは、取付軸２４Ｅを有する枕２０Ｅと、軸受部１７Ｅ（例えば、左右一対の孔）を有する板状のボード１０Ｅとを備える。枕２０Ｅは、取付軸２４Ｅと取付軸２４Ｅの軸方向に伸縮する弾性手段とで構成された取付手段を備えていること以外、枕２０Ｄと同様の構成である。ボード１０Ｅは、軸受部１７Ｅの形状を除いてボード１０Ｄと同様の構成である。取付軸２４Ｅは、枕２０Ｅの左右両側面に設けられている。
【００４５】
（第５変形例）
図１０に示すように、第５変形例に係る浴槽用枕１Ｆは、円柱状の取付手段（取付軸）３０Ｆと、軸受部２３Ｆを有する枕２０Ｆと、軸受部１７Ｆを有するボード１０Ｆとを備える。取付手段３０Ｆは、枕２０Ｆおよびボード１０Ｆに対して、着脱自在に構成されている。枕２０Ｆは、枕２０Ｃと同様の構成である。ボード１０Ｆは、ボード１０Ｄと同様の構成である。
【００４６】
（第６変形例）
図１１に示すように、第６変形例に係る浴槽用枕１Ｇは、取付手段３０Ｇと、枕２０Ｇと、軸受部１７Ｇを有するボード１０Ｇとを備える。取付手段３０Ｇは、円柱状の取付軸３１と、枕２０Ｇを配置できるカバー３２とを含む。カバー３２は、枕２０Ｇの後面に対応した形状になっており、枕２０Ｇを固定できる。枕２０Ｇは、軸受部２３Ａが設けられていないことを除き、枕２０Ａと同様の構成である。ボード１０Ｇは、ボード１０Ｄと同様の構成である。
【００４７】
（第７変形例）
図１２に示すように、第７変形例に係る浴槽用枕１Ｈは、両端がフック形状の取付手段３０Ｈと、枕２０Ｈと、板状のボード１０Ｈとを備える。取付手段３０Ｈは、枕２０Ｈが取り付けられる第１の取付軸と、ボード１０Ｈに嵌め込む第２の取付軸とを有する。枕２０Ｈは、枕２０Ａと同様の構成であり、第１の取付軸を中心に回動し、第２の取付軸を中心に取付手段３０Ｈとともに回動する。ボード１０Ｈは、平面視凸字形状に構成されており、左右両側面に取付手段３０Ｈの両端部分（第２の取付軸）が嵌め込まれる軸受部１７Ｈ（例えば、孔）を有する。
【００４８】
（第８変形例）
図１３（Ａ）に示すように、第８変形例に係る浴槽用枕１Ｉは、左右一対のキャップ型の取付手段３０Ｉと、アーム部２４Ｉを有する枕２０Ｉと、軸受部１７Ｉ（例えば、孔）を有するボード１０Ｉとを備える。枕２０Ｉは、後面側にアーム部２４Ｉを有すること以外、枕２０Ａと同様の構成である。ボード１０Ｇは、ボード１０Ｈと同様の構成である。
【００４９】
図１３（Ｂ）に示すように、取付手段３０Ｉは、孔３３が形成されたキャップ本体と、キャップ本体の内側に設けられた取付軸３４とを有する。孔３３は、アーム部２４Ｉの先端部分が挿入される。取付軸３４は、ボード１０Ｉの軸受部１７Ｉに挿入される。枕２０Ｉは、取付軸３４を中心に取付手段３０Ｉとともに回動する。
【００５０】
なお、取付軸３４を歯車形状に形成し、軸受部１７Ｉに取付軸３４の歯車と噛み合う溝を形成してもよい。この場合、取付軸３４を軸受部１７Ｉに挿入した状態において、枕２０Ｉの角度が固定される。取付軸３４の挿入角度を変えて軸受部１７Ｉに挿入することで、枕２０Ｉの角度を変更できる。
【００５１】
（第９変形例）
図１４に示すように、第９変形例に係る浴槽用枕１Ｊは、枕２０Ｊと、取付手段３０Ｊとを備える。取付手段３０Ｊは、浴槽１００に直接取り付けられる。例えば、取付手段３０Ｊは、浴槽１００に形成された一対の凹部１０３に挿し込まれる。枕２０Ｊは、取付手段３０Ｊのうち浴槽１００の上縁１０１と平行に延びる取付軸部分に、回動自在かつ着脱自在に取り付けられる。枕２０Ｊは、枕２０Ａと同様の構成である。
【００５２】
（その他の変形例）
例えば、枕２０Ａは、取付軸１１Ａが嵌め込まれる第２の軸受部を含んでもよい。第２の軸受部は、後面の軸受部２３Ａとは異なる位置に設けられる。この構成によれば、より広範囲に枕２０Ａの高さを変えることができる。また、ボード１０Ａに、上下方向に伸縮する弾性手段を設け、ボード１０Ａの高さを変えることで枕２０Ａの高さを変えてもよい。
【００５３】
枕２０Ａをボード１０Ａに取り付けるための取付手段として、ボールジョイントを用いてもよい。
【００５４】
本発明の浴槽用枕は、浴槽１００の上縁１０１に配置して使用するだけでなく、浴槽１００の内壁面１０２に配置して使用してもよい。
【００５５】
本発明のボード、取付軸および枕は、これらの少なくとも１つをブロー成形以外の方法で製造してもよい。
【符号の説明】
【００５６】
１Ａ〜１Ｊ    浴槽用枕
１０Ａ〜１０Ｉ    ボード
１１Ａ〜１１Ｃ    取付軸
１２    周縁領域
１３    内側領域
１４    段差
１５    凹部
１６    貫通孔
１７Ｄ〜１７Ｉ  軸受部
２０Ａ〜２０Ｊ    枕
２１    凸部
２２    湾曲面
２３Ａ〜２３Ｃ，２３Ｆ    軸受部
２４Ｄ，２４Ｅ，３１，３４    取付軸
２４Ｉ    アーム部
３０Ｆ〜３０Ｊ    取付手段
３２    カバー
３３    孔
１００    浴槽
１０１    上縁
１０２    内壁面
１０３    凹部
【図１】
2019072354.tif 000003
【図２】
2019072354.tif 000004
【図３】
2019072354.tif 000005
【図４】
2019072354.tif 000006
【図５】
2019072354.tif 000007
【図６】
2019072354.tif 000008
【図７】
2019072354.tif 000009
【図８】
2019072354.tif 000010
【図９】
2019072354.tif 000011
【図１０】
2019072354.tif 000012
【図１１】
2019072354.tif 000013
【図１２】
2019072354.tif 000014
【図１３】
2019072354.tif 000015
【図１４】
2019072354.tif 000016